(57)【特許請求の範囲】
【請求項１】
光源を点灯させる点灯回路と、
前記点灯回路を制御して光源の点灯制御を行うマイクロコンピュータと、
操作されている間だけオン状態を維持し、操作されていない通常時にはオフ状態を維持する第１のスイッチ部と、
オフにされるまでオン状態を維持し、オンにされるまでオフ状態を維持し、前記点灯回路への入力電圧を自己の状態に合わせてオンオフする第２のスイッチ回路と、
前記第１のスイッチ部のオンオフを第１スイッチ信号として検出し、検出した第１スイッチ信号を前記マイクロコンピュータに出力するスイッチ操作検出回路とを備え、
前記マイクロコンピュータは、
前記第１のスイッチ部がオンになった際に前記第１のスイッチ部を通じて電圧を入力して起動し、起動した際に前記第２のスイッチ回路をオンにして前記点灯回路に電圧を供給させ、前記第２のスイッチ回路のオン中に前記第２のスイッチ回路を通じて電圧を入力して動作し、前記スイッチ操作検出回路から第１の特定パターンを持つ第１スイッチ信号を入力した場合に前記第２のスイッチ回路をオフにして前記点灯回路への電圧の供給を遮断すると共に動作を終了する
ことを特徴とする点灯装置。
【請求項２】
前記マイクロコンピュータは前記スイッチ操作検出回路から第２の特定パターンを持つ第１スイッチ信号を入力した場合に光源の明るさを段階的に変化させることを特徴とする請求項１記載の点灯装置。
【請求項３】
前記点灯装置は、さらに、補助灯を点灯させる補助灯点灯回路を備え、
前記マイクロコンピュータは前記スイッチ操作検出回路から第３の特定パターンを持つ第１スイッチ信号を入力した場合に前記点灯回路を制御して光源を消灯させ、前記補助灯点灯回路を制御して補助灯を点灯させることを特徴とする請求項１記載の点灯装置。
【請求項４】
前記マイクロコンピュータは前記スイッチ操作検出回路から第１スイッチ信号を入力している間、光源の明るさを連続的に変化させることを特徴とする請求項１記載の点灯装置。
【請求項５】
前記マイクロコンピュータは前記スイッチ操作検出回路から第４の特定パターンを持つ第１スイッチ信号を入力した場合に光源を第４の所定時間の経過後に消灯させることを特徴とする請求項１記載の点灯装置。
【請求項６】
前記マイクロコンピュータは前記スイッチ操作検出回路から第５の特定パターンを持つ第１スイッチ信号を入力した場合に光源を第５の所定時間の経過後に点灯させることを特徴とする請求項１記載の点灯装置。
【請求項７】
前記マイクロコンピュータは前記スイッチ操作検出回路から入力した第１スイッチ信号に基づいて第１のスイッチ部をオンにする操作の継続時間と第１のスイッチ部をオンにする操作の回数とを計測し、計測した操作の継続時間と操作の回数とが表すパターンに基づいて光源を点灯制御することを特徴とする請求項１〜請求項６いずれかに記載の点灯装置。
【請求項８】
請求項１〜請求項７いずれかに記載の点灯装置と、前記点灯装置と電線により接続され、光源を取り付けると共に前記点灯装置が出力する電力を前記光源に供給するソケットとを備える照明器具本体と、
前記点灯装置の前記第１のスイッチ部を操作する引き紐と
を有する照明器具。
【請求項９】
請求項１〜請求項７いずれかに記載の点灯装置と、前記点灯装置と電線により接続され、光源を取り付けると共に前記点灯装置が出力する電力を前記光源に供給するソケットと、信号を受信し、受信した信号に応じて前記点灯装置の前記第１のスイッチ部を操作するリモコン受信部とを備える照明器具本体と、前記点灯装置の前記第１のスイッチ部を操作する引き紐とを有する照明器具と、
前記照明器具の前記リモコン受信部に前記第１スイッチ部を操作する信号を送信するリモコン送信器と
を有することを特徴とする照明装置。
【発明の詳細な説明】
【技術分野】
【０００１】
本発明は、例えば、低待機電力の点灯装置、その点灯装置を備える照明器具およびその照明器具を備える照明装置に関するものである。
【背景技術】
【０００２】
特許文献１に示すように、家庭用吊り下げ型器具に搭載されるインバータは、基板の中央部に樹脂製の筐体に大きな回転式接点が入ったＡＣラインを切り離す機械スイッチ（プルスイッチ）を設け、スイッチの周囲に点灯回路を形成し、照明器具本体のバランスを保持する構造が一般的である。但し、プルスイッチは、形状が大きく、高価であり、引き紐を直接接続する為、基板への保持力が必要であった。
そこで、特許文献２に示すように、マイクロスイッチを使用することで、スイッチの形状を小さくでき、基板への保持力も不要となり、プルスイッチの上記課題を解消することができる。
【特許文献１】特開平２−２５７５２０号公報
【特許文献２】特開平７−８５７１９号公報
【特許文献３】特開平４−２０６３９４号公報
【発明の開示】
【発明が解決しようとする課題】
【０００３】
ここで、上記マイクロスイッチ及び特許文献３に示すように点灯スイッチの開閉操作が行われた場合、次の点灯モードに移行する、もしくは、段階的に明るさを変化させることは可能であるが、連続的に明るさを変化させることができないという課題がある。
また、連続的に明るさを変化させる手段として、リモコンを使用しているものがあるが、リモコン操作により消灯させた場合には、リモコンからの命令を受けるためにマイクロコンピュータを常時動作させるため、照明器具が消灯していても待機電力を必要とする、つまり、待機電力を略０Ｗにできないという課題がある。
【０００４】
本発明は、例えば、点灯装置の待機電力を略０Ｗにできるようにすることを目的とする。
さらに、本発明は、照明の明るさを段階的に、および、連続的に変化できるようにすることを目的とする。
【課題を解決するための手段】
【０００５】
本発明の点灯装置は、放電灯を点灯させる放電灯点灯回路と、前記放電灯点灯回路に高周波電圧を出力するインバータ回路と、前記インバータ回路を制御して放電灯の点灯制御を行うマイクロコンピュータと、操作されている間だけオン状態を維持し、操作されていない通常時にはオフ状態を維持する第１のスイッチ素子と、オフにされるまでオン状態を維持し、オンにされるまでオフ状態を維持し、前記インバータ回路への入力電圧を自己の状態に合わせてオンオフする第２のスイッチ素子と、前記第１のスイッチ素子のオンオフを第１スイッチ信号として検出し、検出した第１スイッチ信号を前記マイクロコンピュータに出力するスイッチ操作検出回路とを備え、前記マイクロコンピュータは、前記第１のスイッチ素子がオンになった際に前記第１のスイッチ素子を通じて電圧を入力して起動し、起動した際に前記第２のスイッチ素子をオンにして前記インバータ回路に電圧を供給させ、前記第２のスイッチ素子のオン中に前記第２のスイッチ素子を通じて電圧を入力して動作し、前記スイッチ操作検出回路から第１の特定パターンを持つ第１スイッチ信号を入力した場合に前記第２のスイッチ素子をオフにして前記インバータ回路への電圧の供給を遮断すると共に動作を終了することを特徴とする。
【発明の効果】
【０００６】
本発明によれば、放電灯を点灯制御するマイクロコンピュータが動作中と動作終了後における第１のスイッチ素子の操作中だけ電圧の供給を受け、その他の待機中には電圧の供給を受けないため、例えば、点灯装置の待機電力を略０Ｗにすることができる。
【発明を実施するための最良の形態】
【０００７】
実施の形態１．
図１は、実施の形態１における照明器具１の外観を示す構成図である。
図２は、実施の形態１における照明器具１の内部構成図である。
実施の形態１における照明器具１の構成について、図１〜図２に基づいて以下に説明する。
【０００８】
図１において、照明器具１は照明器具本体２、セード３（カバー）、引き紐４および引き紐ガイド５を備える。
照明器具本体２は、図２に示すように、取付具を用いて照明器具１を天井に取り付けるための天井取付部６とランプ７（放電灯、電球、ＬＥＤなどの光源）を取り付けるためのランプホルダ８とを備えると共に、ランプ７を点灯させる点灯装置９（図示省略）を内蔵する。点灯装置９については後述する。なお、照明器具本体２はランプ７が電気的に接続されるソケット（図示省略）を備え、ソケットは点灯装置９と電線により接続され、取り付けられたランプ７に点灯装置９が出力する電力を供給する。
セード３（カバー）は照明器具本体２の発光面側（ランプ７を取り付ける側、照明器具１の下側）に取り付けられ、照明器具本体２の内部を覆い隠す。
引き紐４は、後述する点灯装置９の第１のスイッチ部ＳＷ１と連動するように、照明器具本体２の裏面において点灯装置９に繋がる。つまり、後述する点灯装置９の第１のスイッチ部ＳＷ１は引き紐４が引かれている間だけオンになり、引き紐４が引かれていないときはオフである。
引き紐ガイド５は照明器具本体２から突出し、引き紐４を照明器具１の下方に下ろすようにガイドする。
【０００９】
図３、図４および図５は、実施の形態１における照明器具本体２が備える点灯装置９の回路図である。
実施の形態１における点灯装置９について、図３、図４および図５に基づいて以下に説明する。
【００１０】
図３において、点灯装置９は整流回路１１０、第１の電源回路１２０、第２の電源回路１３０、第２のスイッチ回路Ｑ２、高周波制御回路１４０、スイッチ操作検出回路１５０、マイクロコンピュータ１６０、補助灯点灯回路１７０、外部スイッチＳＷＥおよび外部スイッチ操作検出回路１８０を備える。
【００１１】
整流回路１１０は、例えばダイオードブリッジＤＢで構成され、印加された商用電源ＡＣの交流電圧から脈流電圧を得て、脈流電圧を高周波制御回路１４０に供給する。
【００１２】
高周波制御回路１４０は、図３において、平滑コンデンサＣ１、インバータ回路１３、放電灯点灯回路１４２を備える。
平滑コンデンサＣ１は整流回路１１０からの脈流電圧により充電され、インバータ回路１３は整流回路１１０からの脈流電圧または平滑コンデンサＣ１により充電され平滑されることにより得られた直流電圧が供給される。以降、整流回路１１０からの脈流電圧および平滑コンデンサＣ１からの直流電圧を整流後の電圧とする。
インバータ回路１３は、例えばスイッチ素子Ｑ３およびスイッチ素子Ｑ４（ＭＯＳ−ＦＥＴ）で構成され、スイッチ素子Ｑ３およびスイッチ素子Ｑ４のオン／オフの切り替えにより整流後の電圧を放電灯１０１への高周波電源に変換する。
放電灯点灯回路１４２は、例えばインダクタＬ１、コンデンサＣ２およびコンデンサＣ３を直列に接続した共振回路を構成する。放電灯点灯回路１４２において、インダクタＬ１と放電灯１０１に並列に接続されているコンデンサＣ３とはＬＣ直列共振して放電灯１０１に高電圧を印加して放電灯１０１を点灯させる。また、インダクタＬ１により放電灯１０１に流れる電流を抑制し、コンデンサＣ２により放電灯１０１に流れる直流成分をカットする。
【００１３】
マイクロコンピュータ１６０はインバータ回路１３を制御して放電灯１０１の点灯制御、消灯制御を行う。
【００１４】
第１の電源回路１２０は、例えば直列に接続された抵抗Ｒ１、第１のスイッチ部ＳＷ１およびダイオードブリッジＤ１で構成され、第１のスイッチ部ＳＷ１がオンになることにより整流回路１１０からの商用電源ＡＣの脈流電圧をマイクロコンピュータ１６０に電源として供給する。
第１のスイッチ部ＳＷ１は照明器具１の引き紐４が引かれている（操作されている）間だけオン状態を維持し、引き紐４が引かれていない通常時にはオフ状態を維持する。例えば、第１のスイッチ部ＳＷ１はマイクロスイッチで構成される。
【００１５】
第２の電源回路１３０は、例えば直列に接続された抵抗Ｒ２およびダイオードＤ２で構成され、第２のスイッチ回路Ｑ２がオンになることにより整流回路１１０からの商用電源ＡＣの脈流電圧をマイクロコンピュータ１６０に電源として供給する。
第２のスイッチ回路Ｑ２はマイクロコンピュータ１６０によりオフにされるまでオン状態を維持し、マイクロコンピュータ１６０によりオンにされるまでオフ状態を維持し、整流回路１１０からの脈流電圧を自己のオン／オフ状態に合わせて高周波制御回路１４０に供給する。第２のスイッチ回路Ｑ２は１つのスイッチ素子で構成されてもよい。
【００１６】
スイッチ操作検出回路１５０は第１のスイッチ部ＳＷ１に接続し、第１のスイッチ部ＳＷ１からの電圧の有無により第１のスイッチ部ＳＷ１のオン／オフを検出し、第１のスイッチ部ＳＷ１のオン／オフを示す第１スイッチ信号をマイクロコンピュータ１６０に出力する回路である。
【００１７】
補助灯点灯回路１７０は豆電球のような補助灯１０２を点灯させるために補助灯１０２に電圧を供給する回路である。
放電灯１０１は主照明として周りを明るく照らす光源であり、補助灯１０２は副照明として主照明より小さい光束の明かりを灯す光源である。
【００１８】
外部スイッチＳＷＥは、例えば、居室の家庭用照明器具を点灯／消灯させる壁スイッチのことであり、商用電源ＡＣから点灯装置９への電力の供給をオン／オフする。外部スイッチＳＷＥがオン状態のときに、商用電源ＡＣの電圧が点灯装置９に供給され、第１のスイッチ部ＳＷ１の操作が有効になる。外部スイッチＳＷＥはオフにされるまでオン状態を維持し、オンにされるまでオフ状態を維持する。
【００１９】
外部スイッチ操作検出回路１８０は、第１の電源回路１２０に接続し、第１の電源回路１２０からの電圧の有無により外部スイッチＳＷＥのオン／オフを検出する。外部スイッチＳＷＥがオフからオンに切り替わったのを検出した場合、外部スイッチ操作検出回路１８０はマイクロコンピュータ１６０に電源を供給してマイクロコンピュータ１６０を起動する。
【００２０】
実施の形態１における点灯装置９は、第１の電源回路１２０、第２の電源回路１３０、第２のスイッチ回路Ｑ２およびスイッチ操作検出回路１５０を備え、スイッチ操作検出回路１５０が検出した第１スイッチ信号に基づいてマイクロコンピュータ１６０を起動するものである。
【００２１】
つまり、図３に示した点灯装置９の上記以外の構成についてその他の構成を取ってもよい。
例えば、図４に示すように、点灯装置９は高周波制御回路１４０に昇圧チョッパ回路１４３（昇圧チョッパ形アクティブフィルタ）を備えて昇圧した直流電圧をインバータ回路１３に供給する構成であってもよい。昇圧チョッパ回路１４３はインダクタＬ２、ダイオードＤ３および昇圧チョッパ制御回路ＩＣ１（ＰＦＣ：Ｐｏｗｅｒ  Ｆａｃｔｏｒ  Ｃｏｎｔｒｏｌｌｅｒ）を備えて整流回路１１０からの脈流電圧を平滑化し昇圧した直流電圧（整流後の電圧）をインバータ回路１３に供給する。また、図４に示すように、点灯装置９は、マイクロコンピュータ１６０がインバータ制御回路１９１を介してインバータ回路１３を制御してもよいし、昇圧チョッパ回路１４３およびインバータ回路１３の電源となる第３の電源回路１９２を備えてもよい。例えば、第３の電源回路１９２はダイオードＤ４とコンデンサＣ４とを直列に接続し、昇圧チョッパ回路１４３およびインバータ回路１３と並列に接続して構成される。
また例えば、図５に示すように、点灯装置９は、高周波制御回路１４０の代わりに、電圧の位相を制御して電球１０３の明るさを調整する位相制御回路１４９を備えてもよい。
以下、図３に示した点灯装置９の構成に基づいて説明する。
【００２２】
図６は、実施の形態１における点灯装置９の点灯制御方法を示すフローチャートである。
点灯装置９の点灯制御方法として、実施の形態１の特徴であるマイクロコンピュータ１６０に対する電力の入出力について、図６に基づいて以下に説明する。
【００２３】
＜Ｓ１１０：第１スイッチオン処理＞
まず、放電灯１０１の消灯時（点灯装置９がオフの時）において照明器具１の引き紐４が引かれているとき、第１のスイッチ部ＳＷ１はオンになり通電し、第１の電源回路１２０は整流回路１１０からの電圧を電源としてマイクロコンピュータ１６０に供給する。
ここで、第１のスイッチ部ＳＷ１は引き紐４が引かれている間だけオンとなり、引き紐４が手放された通常状態においてはオフとなる。つまり、引き紐４が引かれている間だけ第１の電源回路１２０はマイクロコンピュータ１６０に整流回路１１０からの電圧を供給する。
【００２４】
＜Ｓ１２０：マイクロコンピュータ起動処理＞
第１の電源回路１２０が通電した際、マイクロコンピュータ１６０は第１の電源回路１２０からの電圧を電源として起動する。
【００２５】
＜Ｓ１３０：第２スイッチオン処理＞
起動したマイクロコンピュータ１６０は第２のスイッチ回路Ｑ２をオン状態にする。そして、第２のスイッチ回路Ｑ２がオンであり通電している間、第２の電源回路１３０は整流回路１１０からの電圧をマイクロコンピュータ１６０に供給する。また、第２のスイッチ回路Ｑ２が通電することにより整流回路１１０からの脈流電圧はインバータ回路１３などを介して放電灯１０１に供給され、放電灯１０１は点灯する。
ここで、第２のスイッチ回路Ｑ２はマイクロコンピュータ１６０によりオフにされるまでオン状態を維持する。つまり、第２のスイッチ回路Ｑ２がオフにされるまでマイクロコンピュータ１６０は第２の電源回路１３０から電圧を供給され、動作する。つまり、引き紐４が手放されて第１のスイッチ部ＳＷ１がオフになっても、マイクロコンピュータ１６０は動作できる。
【００２６】
＜Ｓ１４０：第１スイッチ信号検出処理＞
スイッチ操作検出回路１５０は照明器具１に対する利用者の引き紐４の操作を第１のスイッチ部ＳＷ１のオン／オフによる入力電圧の有無により検出し、検出した第１のスイッチ部ＳＷ１のオン／オフの継続時間や回数などを示す第１スイッチ信号をマイクロコンピュータ１６０に出力する。
以下、照明器具１に対する操作を第１のスイッチ部ＳＷ１の操作として説明する。
【００２７】
＜Ｓ１５０：点灯制御処理＞
第２の電源回路１３０からの電圧を電源として稼働するマイクロコンピュータ１６０は、スイッチ操作検出回路１５０からの第１スイッチ信号が示す第１のスイッチ部ＳＷ１の操作継続時間や操作回数などに基づいて、所定の動作によりインバータ回路１３を制御して放電灯１０１を点灯制御する。
例えば、マイクロコンピュータ１６０は、第１のスイッチ部ＳＷ１が短時間の操作（例えば、１秒以下の間オンにする操作）をされる度に放電灯１０１の調光率を段階的に切り換える段階調光制御や、第１のスイッチ部ＳＷ１が連続操作（継続してオンにする操作）をされている間、放電灯１０１の調光率を連続的に切り替える連続調光制御や、第１のスイッチ部ＳＷ１が特定の操作をされた際に補助灯１０２を点灯させる補助灯制御などを行う。
【００２８】
＜Ｓ１６０：消灯制御処理＞
また、マイクロコンピュータ１６０は、スイッチ操作検出回路１５０から放電灯１０１および補助灯１０２を消灯させるための第１のスイッチ部ＳＷ１の操作を示す第１スイッチ信号を入力した場合、第２のスイッチ回路Ｑ２をオフにする。
これにより、放電灯１０１への電圧の供給が断たれて放電灯１０１は消灯する。
また、マイクロコンピュータ１６０は第２の電源回路１３０からの電圧の供給が無くなるため動作を終了する。
つまり、マイクロコンピュータ１６０による消灯制御処理（Ｓ１６０）後、マイクロコンピュータ１６０の待機電力が略０Ｗとなるため、点灯装置９の消費電力は略０Ｗとなる。
【００２９】
図７は、実施の形態１におけるマイクロコンピュータ１６０の機能構成図である。
実施の形態１におけるマイクロコンピュータ１６０の機能構成について、図７に基づいて以下に説明する。
【００３０】
図７において、マイクロコンピュータ１６０は入力部１６、制御判別部１８、タイマ部１７および記憶部１９を備える。
【００３１】
入力部１６はスイッチ操作検出回路１５０が出力した第１スイッチ信号を入力し、入力した第１スイッチ信号を制御判別部１８に出力する。
【００３２】
制御判別部１８は入力部１６から入力した第１スイッチ信号の回数を第１のスイッチ部ＳＷ１の操作回数としてカウントし、また、入力部１６から入力した第１スイッチ信号の入力に応じてタイマ部１７を動作させて第１のスイッチ部ＳＷ１の操作継続時間を計る。
また、制御判別部１８は第１のスイッチ部ＳＷ１の操作継続時間や操作回数に対応する点灯制御を記憶部１９に予め記憶されている制御情報に基づいて判別する。
また、制御判別部１８は判別した制御情報に基づいてインバータ回路１３を制御して放電灯１０１を点灯制御し、また、補助灯点灯回路１７０を制御して補助灯１０２を点灯制御する。
また、制御判別部１８は起動時に第２のスイッチ回路Ｑ２をオンにし、また、放電灯１０１および補助灯１０２の消灯時に第２のスイッチ回路Ｑ２をオフにする。
つまり、制御判別部１８は上記点灯装置９の点灯制御方法（図６）における第２スイッチオン処理（Ｓ１３０）、点灯制御処理（Ｓ１５０）、消灯制御処理（Ｓ１６０）を実行する。
【００３３】
タイマ部１７は制御判別部１８からの命令により第１のスイッチ部ＳＷ１の操作継続時間を計測する。
【００３４】
記憶部１９は第１のスイッチ部ＳＷ１の操作継続時間や操作回数に対応する点灯制御を示す制御情報や、制御判別部１８がカウントした第１のスイッチ部ＳＷ１の操作回数や、タイマ部１７が計測した第１のスイッチ部ＳＷ１の操作継続時間や、放電灯１０１および補助灯１０２の点灯状態情報や、その他マイクロコンピュータ１６０の点灯制御処理に用いる情報（例えば、フラグ）を記憶する。
【００３５】
入力部１６、制御判別部１８およびタイマ部１７はＣＰＵにより実行される。また、記憶部１９はメモリを用いて各種情報を記憶する。
【００３６】
図８は、実施の形態１におけるマイクロコンピュータ１６０の点灯制御方法を示すフローチャートの一例である。
実施の形態１におけるマイクロコンピュータ１６０の点灯制御方法の一例として、利用者が短時間、照明器具１の引き紐４を引いて第１のスイッチ部ＳＷ１をオンにする度に放電灯１０１の明るさを段階的に変化させ、放電灯１０１を消灯させ、または、補助灯１０２を点灯させ、利用者が所定の時間、照明器具１の引き紐４を引いて第１のスイッチ部ＳＷ１のオン状態を継続させた場合に一定時間経過後に放電灯１０１を点灯または消灯させる点灯制御方法について、図８に基づいて以下に説明する。
【００３７】
マイクロコンピュータ１６０は、利用者に照明器具１の引き紐４を引かれて第１のスイッチ部ＳＷ１が操作（スイッチオン）され、入力部１６がスイッチ操作検出回路１５０から第１のスイッチ部ＳＷ１がオン状態であることを示す第１スイッチ信号を入力することにより動作を始める。
なお、放電灯１０１および補助灯１０２の消灯時に第１スイッチ信号を入力した場合、マイクロコンピュータ１６０の制御判別部１８は第２のスイッチ回路Ｑ２をオンにし、マイクロコンピュータ１６０は第２のスイッチ回路Ｑ２が通電することにより第２の電源回路１３０から供給される電圧を電源として動作する。
以下、第１スイッチ信号を第１のスイッチ部ＳＷ１のオン状態を示す信号として説明する。
【００３８】
＜Ｓ２１０：初期化処理Ａ＞
入力部１６が第１スイッチ信号を入力した際、制御判別部１８はタイマ部１７に第１のスイッチ部ＳＷ１の操作継続時間を計測するためのタイマＴ１を初期化（Ｔ１＝０）させ（Ｓ２１１）、点灯／消灯タイマフラグＤを初期化（Ｄ＝０）する（Ｓ２１２）。
以下、第１のスイッチ部ＳＷ１の操作継続時間を「スイッチオン継続時間」として説明する。
【００３９】
＜Ｓ２２０：スイッチオン計測処理Ａ＞
次に、制御判別部１８は入力部１６が第１スイッチ信号を継続して入力しているか、つまり、第１のスイッチ部ＳＷ１がオン状態を継続しているか判定し（Ｓ２２１：スイッチ状態判定処理Ａ）、第１のスイッチ部ＳＷ１がオン状態であればタイマ部１７に特定の積算時間（例えば、１００ミリ秒）をタイマＴ１に積算させる（Ｓ２２２：タイマＴ１積算処理Ａ）。
タイマ部１７はスイッチ状態判定処理Ａ（Ｓ２２１）およびタイマ積算処理Ａ（Ｓ２２２）に要する時間に相当する時間をタイマＴ１に積算する特定の積算時間とする。
制御判別部１８は第１のスイッチ部ＳＷ１がオフ状態になるまでスイッチ状態判定処理Ａ（Ｓ２２１）とタイマ積算処理Ａ（Ｓ２２２）とを繰り返し、スイッチオン継続時間を計測する。
【００４０】
＜Ｓ２３０：スイッチオン継続時間判定処理Ａ＞
Ｓ２２１において第１のスイッチ部ＳＷ１のオフ状態を検出した場合、制御判別部１８はタイマＴ１によりスイッチオン継続時間を判定する（Ｓ２３１、Ｓ２３２）。
【００４１】
＜Ｓ２４０：点灯切換処理Ａ＞
Ｓ２３１においてスイッチオン継続時間（タイマＴ１）が短時間（例えば、１秒以下）の場合、制御判別部１８は記憶部１９に記憶されている制御情報と放電灯１０１の点灯状態情報とに基づいて放電灯１０１の点灯状態を切り換える。
例えば、制御情報は「全光→調光→豆球→消灯」という点灯順序を示す。また、「全光」は調光率１００％を示し、「調光」は調光率７５％を示す。
このとき、制御判別部１８は放電灯１０１の点灯状態情報が「全光」を示す場合には放電灯１０１を調光率７５％で点灯させ、点灯状態情報が「調光」を示す場合には放電灯１０１を消灯して補助灯１０２（豆球）を点灯させ、点灯状態情報が「豆球」を示す場合には補助灯１０２も消灯させ、点灯状態情報が「消灯」を示す場合には放電灯１０１を調光率１００％で点灯させる。
また例えば、制御情報が「全光（１００％）→調光Ａ（８０％）→調光Ｂ（６０％）→調光Ｃ（４０％）→豆球→消灯」といった具合に複数段階の調光率により点灯順序を示し、制御判別部１８が放電灯１０１を複数段階の調光率で点灯制御してもよい。
また、制御判別部１８は放電灯１０１の点灯状態情報を切り換え後の放電灯１０１の点灯状態に更新する。
なお、制御判別部１８は放電灯１０１の点灯状態情報を「消灯」に更新した際、つまり、放電灯１０１も補助灯１０２も消灯させた際、第２のスイッチ回路Ｑ２をオフにし、マイクロコンピュータ１６０は第２の電源回路１３０からの電圧の供給が遮断され動作を終了する。
【００４２】
ここで、点灯装置９は、第１のスイッチ部ＳＷ１のオン／オフに対して点灯切換処理Ａ（Ｓ２４０）を実行するのと同様に、外部スイッチＳＷＥのオン／オフに対して点灯切換処理Ａを実行してもよい。つまり、実施の形態１における点灯装置９は、引き紐４の操作ではなく、外部スイッチＳＷＥの操作により放電灯１０１の点灯状態を切り換えるプルレス操作を利用者に提供する。例えば、点灯装置９は以下のようにして外部スイッチＳＷＥのオン／オフに対して点灯切換処理Ａを実行する。
まず、外部スイッチ操作検出回路１８０は商用電源ＡＣから点灯装置９への電圧の供給を制御する外部スイッチＳＷＥ（例えば、壁スイッチ）のオフからオンへの切り替えを外部スイッチ信号として検出する。
次に、外部スイッチ操作検出回路１８０は検出した外部スイッチ信号をスイッチ操作検出回路１５０に出力する。
次に、スイッチ操作検出回路１５０は外部スイッチ信号をマイクロコンピュータ１６０に出力する。
次に、マイクロコンピュータ１６０の入力部１６はスイッチ操作検出回路１５０から外部スイッチ信号を入力し、入力した外部スイッチ信号を制御判別部１８に出力する。
次に、制御判別部１８は、入力部１６から外部スイッチ信号を入力した時刻を外部スイッチＳＷＥがオフからオンに切り替わった時刻として、電源が切られても記憶内容を保持する不揮発性メモリに記憶する。
同様にして、次に外部スイッチＳＷＥがオフからオンに切り替わった時刻も不揮発性メモリに記憶される。
そして、制御判別部１８は、前回に外部スイッチＳＷＥがオフからオンに切り替わった時刻から今回外部スイッチＳＷＥがオフからオンに切り替わった時刻までの時間を算出し、算出した時間が短時間（例えば、１秒以下）の場合に制御情報と点灯状態情報とに基づいて放電灯１０１の点灯状態を切り換える。
ここで、第１スイッチ信号と外部スイッチ信号とは異なる信号パターンを示し、区別できるものとする。
【００４３】
＜Ｓ２５０：点灯／消灯タイマ制御処理＞
Ｓ２３２においてスイッチオン継続時間（タイマＴ１）が中程度の時間（例えば、１秒より長く２秒以下）の場合、制御判別部１８は、所定時間の経過後に放電灯１０１を点灯させたり、所定時間の点灯後に放電灯１０１を消灯させたりする点灯／消灯タイマ制御処理を実行する。
ここで、利用者が中程度の時間、引き紐４を引いて第１のスイッチ部ＳＷ１のオン状態を継続させる操作は、点灯／消灯タイマ機能の起動を意味するものとする。
点灯／消灯タイマ制御処理（Ｓ２５０）の詳細については後述する。
【００４４】
また、Ｓ２３２においてスイッチオン継続時間（タイマＴ１）が長時間（例えば、２秒より長い時間）の場合、制御判別部１８は点灯制御処理を終了する。
【００４５】
図９、図１０は、実施の形態１における点灯／消灯タイマ制御処理（Ｓ２５０）を示すフローチャートである。
実施の形態１におけるマイクロコンピュータ１６０の制御判別部１８が実行する点灯／消灯タイマ制御処理（Ｓ２５０）について、図９、図１０に基づいて説明する。
【００４６】
まず、図９に基づいて点灯／消灯タイマ制御処理（Ｓ２５０）の前処理（Ｓ３００）について説明する。
【００４７】
＜Ｓ３１０：初期化処理Ｂ＞
まず、制御判別部１８は点灯／消灯タイマフラグＤに点灯タイマ制御または消灯タイマ制御を実行することを示す値を設定し（Ｄ＝１）（Ｓ３１１）、タイマ部１７に点灯／消灯タイマを起動するためのタイマＴ２と点灯タイマまたは消灯タイマとして使用するタイマＴ３とを初期化（Ｔ２＝０、Ｔ３＝０）させる（Ｓ３１２）。
このとき、点灯／消灯タイマ制御の実行予告を利用者に通知するとよい。例えば、照明器具本体２にＬＥＤなどのインジケータを備え、制御判別部１８がインジケータを点灯させて、利用者の引き紐操作（例えば、１秒以上２秒以下のスイッチオン操作）により指定された点灯／消灯タイマ機能が働いていることを示すとよい。
【００４８】
＜Ｓ３２０：スイッチオン検出処理＞
次に、制御判別部１８は入力部１６が新たに第１スイッチ信号を入力したか、つまり、第１のスイッチ部ＳＷ１がオフ状態からオン状態に移行したか判定する（Ｓ３２１）。
Ｓ３２１において第１のスイッチ部ＳＷ１のオン状態を検出した場合、制御判別部１８はタイマ部１７にスイッチオン継続時間を計測するためのタイマＴ１を初期化（Ｔ１＝０）する（Ｓ３２２）。
【００４９】
＜Ｓ３３０：スイッチオン計測処理Ｂ＞
Ｓ３２２においてタイマＴ１を初期化後、制御判別部１８は、前記スイッチオン計測処理Ａ（Ｓ２２０）と同様に、第１スイッチ信号に基づいて第１のスイッチ部ＳＷ１がオン状態を継続しているか判定し（Ｓ３３１）、タイマ部１７にタイマＴ１の積算をさせる（Ｓ３３２）。
【００５０】
＜Ｓ３４０：スイッチオン継続時間判定処理Ｂ＞
Ｓ３２１において第１のスイッチ部ＳＷ１のオフ状態を検出した場合、制御判別部１８はタイマＴ１によりスイッチオン継続時間を判定する（Ｓ３４１、Ｓ３４２）。
【００５１】
＜Ｓ３５０：点灯切換処理Ｂ＞
Ｓ３４１においてスイッチオン継続時間（タイマＴ１）が短時間（例えば、１秒以下）の場合、制御判別部１８は、前記点灯切換処理Ａ（Ｓ２４０）と同様に、放電灯１０１の点灯状態を切り換える。
但し、ここでは、制御判別部１８は放電灯１０１および補助灯１０２を消灯させた場合であっても、点灯／消灯タイマ制御を行うため、第２のスイッチ回路Ｑ２をオフにしないものとする。
【００５２】
＜Ｓ３６０：点灯／消灯タイマ解除処理＞
Ｓ３４２においてスイッチオン継続時間（タイマＴ１）が長時間（例えば、３秒以上）の場合、制御判別部１８は点灯／消灯タイマフラグＤを初期化（Ｄ＝０）して点灯／消灯タイマを解除し、点灯制御処理を終了する。
ここで、点灯／消灯タイマ制御中において、利用者が、例えば、３秒以上のような長時間、引き紐４を引いて第１のスイッチ部ＳＷ１のオン状態を継続させる操作は、点灯／消灯タイマ機能のキャンセルを意味するものとする。
このとき、点灯／消灯タイマフラグＤの設定時（Ｓ３１１）と同様に、例えば、制御判別部１８がインジケータを消灯することにより、利用者に点灯／消灯タイマ機能をキャンセルしたことを示すとよい。
【００５３】
＜Ｓ３７０：点灯／消灯タイマ待機処理＞
制御判別部１８は点灯／消灯タイマを起動させるためのタイマＴ２がスイッチオン検出処理（Ｓ３２０）から所定時間Ｘ（例えば、３秒以上）の経過を示すか判定し（Ｓ３７１）、所定時間を経過していないときはタイマＴ２の積算を行い（Ｓ３７２）、上記の処理（Ｓ３２０〜Ｓ３６０）を所定時間Ｘ繰り返す。
【００５４】
次に、図１０に基づいて点灯／消灯タイマ制御処理（Ｓ２５０）の実処理（Ｓ４００）について説明する。
【００５５】
＜Ｓ４１０：タイマ制御判定処理＞
まず、制御判別部１８は記憶部１９に記憶されている放電灯１０１の点灯状態情報に基づいて放電灯１０１（および補助灯１０２）が消灯しているか判定して点灯タイマ制御と消灯タイマ制御とのいずれの制御を行うか判定する。
【００５６】
＜Ｓ４２０：点灯タイマ制御処理＞
Ｓ４１０において放電灯１０１（および補助灯１０２）が消灯している場合、制御判別部１８は点灯タイマとして使用するタイマＴ３が所定時間（例えば、１２０分以上）の経過を示すか判定し（Ｓ４２１）、所定時間を経過していないときはタイマＴ３の積算を行い（Ｓ４２２）、所定時間を経過したときは放電灯１０１を点灯（例えば、全光点灯）（Ｓ４２３）して点灯制御処理を終了する。
【００５７】
＜Ｓ４３０：消灯タイマ制御処理＞
また、Ｓ４１０において放電灯１０１（または補助灯１０２）が点灯している場合、制御判別部１８は消灯タイマとして使用するタイマＴ３が所定時間（例えば、６０分以上）の経過を示すか判定し（Ｓ４３１）、所定時間を経過していないときはタイマＴ３の積算を行い（Ｓ４３２）、所定時間を経過したときは放電灯１０１（または補助灯１０２）を消灯（Ｓ４３３）して点灯制御処理を終了する。
なお、制御判別部１８は第２のスイッチ回路Ｑ２をオフにし、マイクロコンピュータ１６０は動作を終了する。
【００５８】
また、図１０において、制御判別部１８はタイマＴ３の所定時間の経過を待っている間（Ｓ４２０、Ｓ４３０）、図９における処理（Ｓ３２０、Ｓ３３０、Ｓ３４０、Ｓ３６０）と同様に、第１のスイッチ部ＳＷ１のオン状態を一定時間検出した場合に点灯／消灯タイマを解除する制御を行ってもよい。
【００５９】
図１１は、実施の形態１におけるマイクロコンピュータ１６０の点灯制御方法を示すフローチャートの一例である。
図８に示した点灯制御方法と異なる点灯制御方法の一例として、利用者が照明器具１の引き紐４を引いて第１のスイッチ部ＳＷ１のオン状態を継続させている間、放電灯１０１の明るさを連続的に変化させる点灯制御方法について、図１１に基づいて以下に説明する。
【００６０】
＜Ｓ５１０：初期化処理Ｄ＞
前記初期化処理Ａ（Ｓ２１０）と同様に、入力部１６が第１スイッチ信号を入力した際、制御判別部１８はスイッチオン継続時間を計測するためのタイマＴ１を初期化（Ｔ１＝０）する。
【００６１】
＜Ｓ５２０：スイッチオン継続時間判定処理Ｄ＞
制御判別部１８はタイマＴ１によりスイッチオン継続時間を判定し（Ｓ５２１）、スイッチオン継続時間（タイマＴ１）が所定時間（例えば、１秒以上）を経過していなければ第１スイッチ信号に基づいて第１のスイッチ部ＳＷ１がオン状態を継続しているか判定し（Ｓ５２２）、第１のスイッチ部ＳＷ１がオン状態を継続しているときはタイマ部１７にタイマＴ１の積算（例えば、＋１００ミリ秒）をさせる（Ｓ５２３）。
【００６２】
＜Ｓ５３０：連続調光処理＞
Ｓ５２１においてスイッチオン継続時間（タイマＴ１）が所定時間（例えば、１秒以上）を経過した場合、制御判別部１８は、記憶部１９に記憶されている現在の放電灯１０１の調光率と調光率の変化方向（調光率のアップ／ダウン）とに基づいて、放電灯１０１の調光率を所定量（例えば、±５％）変化させ、記憶部１９に記憶されている現在の放電灯１０１の調光率を変化後の放電灯１０１の調光率に更新する。また、制御判別部１８は調光率を上げたことにより変化後の放電灯１０１の調光率が所定の上限値（例えば、９０％）になったときは記憶部１９に記憶されている調光率の変化方向を「アップ」から「ダウン」に変更し、調光率を下げたことにより変化後の放電灯１０１の調光率が所定の下限値（例えば、５０％）になったときは記憶部１９に記憶されている調光率の変化方向を「ダウン」から「アップ」に変更する（Ｓ５３１）。
そして、制御判別部１８は第１スイッチ信号に基づいて第１のスイッチ部ＳＷ１がオン状態を継続しているか判定し（Ｓ５３２）、第１のスイッチ部ＳＷ１がオン状態を継続している間、放電灯の調光率の変更（Ｓ５３１）を繰り返す。
【００６３】
＜Ｓ５４０：点灯切換処理Ｄ＞
Ｓ５２２において第１のスイッチ部ＳＷ１のオフ状態を検出した場合、つまり、スイッチオン継続時間（タイマＴ１）が１秒未満の場合、制御判別部１８は、前記点灯切換処理Ａ（Ｓ２４０）と同様に、放電灯１０１の点灯状態を切り換える。
【００６４】
上記マイクロコンピュータ１６０の点灯制御処理の説明において、制御判別部１６２は第１スイッチ信号に基づいて以下のような放電灯点灯制御を行っている。
（１）補助灯１０２が点灯時の短時間（例えば、１秒以下）の第１スイッチ信号（第１の特定パターンを持つ第１スイッチ信号の一例）を検出した場合において、補助灯１０２を消灯させ、第２のスイッチ回路Ｑ２をオフし、マイクロコンピュータ１６０の動作を終了する制御。
（２）短時間の第１スイッチ信号（第２の特定パターンを持つ第１スイッチ信号の一例）を検出した場合において、放電灯１０１の調光率を段階的に変更させる制御。
（３）放電灯１０１が点灯時の短時間の第１スイッチ信号（第３の特定パターンを持つ第１スイッチ信号の一例）を検出した場合において、放電灯１０１を消灯させ、補助灯１０２を点灯させる制御。
（４）中時間（例えば、１秒以上２秒以下）の第１スイッチ信号（第４の特定パターンを持つ第１スイッチ信号の一例）を検出した場合において、所定の時間（例えば、６０分）（第４の所定時間の一例）の経過後に点灯している放電灯１０１または補助灯１０２を消灯させる制御。
（５）中時間（例えば、１秒以上２秒以下）の第１スイッチ信号（第５の特定パターンを持つ第１スイッチ信号の一例）を検出した場合において、所定の時間（例えば、１２０分）（第５の所定時間の一例）の経過後に消灯している放電灯１０１を点灯させる制御。
（６）第１スイッチ信号を入力している間、放電灯１０１の明るさを連続的に変化させる制御。
【００６５】
また、実施の形態１において以下のような放電灯点灯装置について説明した。また、以下のような放電灯点灯装置を備える照明器具について説明した。
【００６６】
放電灯点灯装置（点灯装置９）は整流回路１１０、インバータ回路１３、放電灯点灯回路１４２、マイクロコンピュータ１６０、第１の電源回路１２０、スイッチ操作検出回路１５０、第２のスイッチ回路Ｑ２および第２の電源回路１３０を備える。
整流回路１１０は商用電源ＡＣを整流する。
インバータ回路１３は、整流回路１１０から得られる脈流電圧、脈流電圧を平滑コンデンサＣ１に充電する直流電圧または脈流電圧から昇圧チョッパ回路１４３により得られる直流電圧（整流後の電圧）を高周波電圧に変換する。
マイクロコンピュータ１６０は高周波電圧により放電灯１０１を点灯させる放電灯点灯回路１４２とインバータ回路１３とを制御して放電灯１０１を点灯制御および消灯制御する。
第１の電源回路１２０はインピーダンス素子（抵抗Ｒ１）と操作することでＯＮ−ＯＦＦする第１のスイッチ部ＳＷ１とを備え、第１のスイッチ部ＳＷ１の出力からマイクロコンピュータ１６０の電源を得る。
スイッチ操作検出回路は第１のスイッチ部ＳＷ１のＯＮ−ＯＦＦを検出する。
第２のスイッチ回路Ｑ２はインバータ回路１３に脈流電圧を供給し、または、インバータ回路１３への脈流電圧の供給を遮断する。
第２の電源回路１３０は第２のスイッチ素子の出力からマイクロコンピュータ１６０の電源を得る。
まず、第１のスイッチ部ＳＷ１が通電すると第１の電源回路１２０からの電源によりマイクロコンピュータ１６０が動作する。次に、マイクロコンピュータ１６０は第２のスイッチ回路Ｑ２を駆動し、インバータ回路１３に整流後の電圧を供給して放電灯１０１を点灯させる。次に、第２の電源回路１３０はマイクロコンピュータ１６０に電源を供給する。そして、マイクロコンピュータ１６０は第１のスイッチ部ＳＷ１の操作によりスイッチ操作検出回路１５０から予め設定した所定の信号（第１スイッチ信号）を検出した場合には第２のスイッチ回路Ｑ２の駆動をオフさせる。
【００６７】
また、放電灯点灯装置は放電灯１０１の点灯制御として、第１のスイッチ部ＳＷ１のスイッチの操作継続時間およびスイッチの操作回数をマイクロコンピュータ１６０にてカウントし、第１のスイッチ部ＳＷ１が予め設定した時間および回数で操作された場合には放電灯１０１の明るさを段階的に変化させる。
【００６８】
また、放電灯点灯装置は放電灯１０１が点灯状態の時、第１のスイッチ部ＳＷ１のスイッチの操作継続時間およびスイッチの操作回数をマイクロコンピュータ１６０にてカウントし、第１のスイッチ部ＳＷ１が予め設定した時間および回数で操作された場合には放電灯１０１を消灯し、補助灯１０２を点灯させる。
【００６９】
また、放電灯点灯装置は放電灯１０１が点灯状態の時、第１のスイッチ部ＳＷ１のスイッチの操作継続時間をマイクロコンピュータ１６０にてカウントし、第１のスイッチ部ＳＷ１が予め設定した時間継続して操作された場合には、放電灯１０１の明るさを連続的に変化させる。
【００７０】
また、放電灯点灯装置は放電灯１０１が点灯状態の時、第１のスイッチ部ＳＷ１のスイッチの操作継続時間およびスイッチの操作回数をマイクロコンピュータ１６０にてカウントし、第１のスイッチ部ＳＷ１が予め設定した時間および回数でＯＮ−ＯＦＦ操作された場合には放電灯１０１の消灯タイマをマイクロコンピュータ１６０にて制御する。
【００７１】
また、放電灯点灯装置は放電灯１０１が消灯状態の時、第１のスイッチ部ＳＷ１のスイッチの操作継続時間およびスイッチの操作回数をマイクロコンピュータ１６０にてカウントし、第１のスイッチ部ＳＷ１が予め設定した時間および回数でＯＮ−ＯＦＦ操作された場合には放電灯１０１の点灯タイマをマイクロコンピュータ１６０にて制御する。
【００７２】
以下、実施の形態２以降において、上記実施の形態１で説明したマイクロコンピュータ１６０の点灯制御処理について、処理の詳細やその他の処理例を点灯装置９の動作として説明する。
実施の形態２以降では、上記実施の形態１における「放電灯１０１（または補助灯１０２）」、「第１のスイッチ部ＳＷ１」、「タイマＴ１」および「マイクロコンピュータ１６０」をそれぞれ、「ランプ７」、「スイッチＳＷ」、「タイマＴ」、「制御部１１」として説明する。
また、図において処理ステップを「Ｓ」で表す。例えば、「ステップ１」を図において「Ｓ１」と示す。
【００７３】
実施の形態２．
図１２は、本実施の形態の点灯装置９の動作を示すフローチャートのメインルーチンであり、図１３（ａ）、（ｂ）は点灯装置９の動作のうち、連続調光の動作を示すサブルーチン、図１３（ｃ）は点灯装置９の動作のうち、段調光の動作を示すサブルーチンである。
【００７４】
（１）メインルーチン１．
引き紐４を引き、スイッチＳＷをオンするとタイマ部１７のタイマＴを初期化（ステップ１）して、タイマＴが１秒以上であるか否かを判別する（ステップ２）。
【００７５】
ステップ２でタイマＴが１秒未満であるときは、スイッチＳＷがオンの状態（引き紐４を引いている状態）を継続しているかを判別（ステップ３）し、スイッチＳＷがオンの状態を継続しているときはタイマＴに１００ｍ秒増加させる（ステップ４）。ここで、ステップ４で増加する時間を１００ｍ秒としたが、ステップ４で増加する時間はステップ２〜ステップ３にかかる時間によって適宜設定する。
【００７６】
ステップ２でスイッチＳＷをオンしている時間が１秒以上であると判別したときは、記憶部１９に記憶している調光率Ｍと調光変化の方向Ｃを読み出して（ステップ５）、メインルーチン２に移行する。
【００７７】
ステップ３で、スイッチＳＷがオフ状態であるとき、サブルーチンＤＩＭに移行する。
【００７８】
（２）メインルーチン２．
調光変化の方向Ｃが上昇（ＵＰ）であるか判別（ステップ６）し、調光変化の方向Ｃが上昇であるとき、連続調光のサブルーチンＣＤ１に移行し、調光変化の方向Ｃが降下であるとき、連続調光のサブルーチンＣＤ２に移行する。
【００７９】
（３）サブルーチンＣＤ１．
調光率Ｍが予め設定される上限調光率であるかを判別（ステップ７）し、調光率Ｍが上限調光率でないとき調光率Ｍを５％増加（ステップ８）させ、増加した調光率Ｍに対応する制御信号をインバータ回路１３に出力する（ステップ９）。
【００８０】
ステップ７で調光率Ｍが上限調光率であるとき、調光変化の方向Ｃを降下（ＤＯＷＮ）にし（ステップ１０）、調光率Ｍを５％減少（ステップ１１）させて、減少した調光率Ｍに対応する制御信号をインバータ回路１３に出力する（ステップ１２）。
【００８１】
（４）サブルーチンＣＤ２．
調光率Ｍが予め設定される下限調光率であるかを判別（ステップ１３）し、調光率Ｍが下限調光率でないとき調光率Ｍを５％減少（ステップ１４）させ、減少した調光率Ｍに対応する制御信号をインバータ回路１３に出力する（ステップ１５）。
【００８２】
ステップ１５で調光率Ｍが下限調光率であるとき、調光変化の方向Ｃを上昇（ＵＰ）にし（ステップ１６）、調光率Ｍを５％増加（ステップ１７）させて、増加した調光率Ｍに対応する制御信号をインバータ回路１３に出力する（ステップ１８）。
【００８３】
（５）メインルーチン３．
サブルーチンＣＤ１またはサブルーチンＣＤ２の処理後、スイッチＳＷがオンの状態（引き紐４を引いている状態）を継続しているかを判別（ステップ１９）し、スイッチＳＷがオンの状態が継続しているときはステップ６に戻り、スイッチＳＷがオフ状態のときは調光率Ｍ、調光変化の方向Ｃを記憶部１９に記憶（ステップ２０）して、終了する。
【００８４】
なお、上限調光率から下限調光率（または下限調光率から上限調光率）に到達する時間を短時間に設定すると所望の明るさに設定するのが難しく、また長時間に設定すると所望の明るさに設定するまで時間がかかる。
【００８５】
したがって、上限調光率から下限調光率（または下限調光率から上限調光率）に到達する時間は１０秒（調光率の変化速度７．５％／秒）〜１５秒（調光率の変化速度５％／秒）程度に設定するのが望ましい。
【００８６】
なお、この時間は上限調光率１００％、下限調光率２５％の場合であり、上限調光率と下限調光率の幅が狭い、例えば上限調光率を８０％、下限調光率を４０％にするときなどは、上限調光率から下限調光率までの時間を５秒〜８秒程度に設定するなど、上限調光率と下限調光率の調光率の幅に応じて適宜設定するとよい。
【００８７】
（６）サブルーチンＤＩＭ．
インバータ回路１３に出力している制御信号が全光点灯に対応する制御信号であるか判別（ステップ２１）する。
【００８８】
ステップ２１で全光点灯であると判別するとき、記憶部１９から調光率Ｍを読み出し（ステップ２２）、調光率Ｍに対応する制御信号をインバータ回路１３に出力（ステップ２３）して、終了する。
【００８９】
ステップ２１で全光点灯でないと判別するとき、インバータ回路１３に出力している制御信号が調光率Ｍに対応する制御信号であるか判別（ステップ２４）する。
【００９０】
ステップ２４で調光率Ｍに対応する制御信号であると判別するとき、消灯に対応する制御信号をインバータ回路１３に出力（ステップ２５）して、終了する。
【００９１】
ステップ２４で調光率Ｍに対応する制御信号でないと判別するとき、全光点灯に対応する制御信号をインバータ回路１３に出力（ステップ２６）して、終了する。
【００９２】
本実施の形態によれば、スイッチＳＷをオンしている期間、ランプ７の明るさを連続的に調光させて所望の明るさに設定でき、このときの明るさを調光率Ｍとして記憶部１９に記憶させて、スイッチＳＷを短時間のオン／オフ操作することによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【００９３】
実施の形態３．
本実施の形態は、実施の形態２の図１〜図３に記載の照明器具及び点灯装置の構成と同じであり、点灯装置の動作が異なる。本実施の形態において、実施の形態２と同一な部分について同一符号を付し説明を省略し、異なる動作について詳細に説明をする。
【００９４】
図１４、図１５は、本実施の形態の点灯装置の動作を示すフローチャートである。
【００９５】
図１４は、本実施の形態の点灯装置９の動作を示すフローチャートのメインルーチン、図１５（ａ）は点灯装置９の動作のうち、ランプ７を点灯している調光率を判別する動作を示すサブルーチン、図１５（ｂ）、（ｃ）は点灯装置９の動作のうち、連続調光の動作を示すサブルーチン、図１５（ｄ）は点灯装置９の動作のうち、段調光の動作を示すサブルーチンである。
【００９６】
（１）メインルーチン１．
引き紐４を引き、スイッチＳＷをオンするとタイマ部１７のタイマＴを初期化（ステップ１）して、タイマＴが１秒以上であるか否かを判別する。（ステップ２）
【００９７】
ステップ２でタイマＴが１秒未満であるときは、スイッチＳＷがオンの状態（引き紐４を引いている状態）を継続しているかを判別（ステップ３）し、スイッチＳＷがオンの状態を継続しているときはタイマＴに１００ｍｓ増加させる（ステップ４）。ここで、ステップ４で増加する時間を１００ｍｓとしたが、ステップ４で増加する時間はステップ２〜ステップ３にかかる時間によって適宜設定する。
【００９８】
ステップ３でスイッチＳＷがオフの状態であるとき、サブルーチンＤＩＭに移行する。
【００９９】
ステップ２でスイッチＳＷをオンしている時間が１秒以上であると判別したときは、記憶部１９に記憶している調光率Ｍと調光変化の方向Ｃを読み出して（ステップ５）、サブルーチンＣＨＫに移行する。
【０１００】
（２）サブルーチンＣＨＫ．
ステップ５で記憶部１９から読み出した調光率Ｍが７０％以上であるかを判別（ステップ３１）し、調光率Ｍが７０％以上であるときは調光変化の方向Ｃを降下（ＤＯＷＮ）にして（ステップ３２）、メインルーチン２に移行する。
【０１０１】
ステップ３１で調光率Ｍが７０％以上でないと判別するときは、調光率Ｍが４０％以下であるかを判別（ステップ４１）し、調光率Ｍが４０％以下であるときは調光変化の方向Ｃを上昇（ＵＰ）にして（ステップ４２）、メインルーチン２に移行する。
【０１０２】
ステップ４１で調光率Ｍが４０％以下でないと判別するときは、調光変化の方向Ｃを記憶部１９から読み出した値として、メインルーチン２に移行する。
【０１０３】
（３）メインルーチン２．
調光変化の方向Ｃが上昇（ＵＰ）であるか判別（ステップ６）し、調光変化の方向Ｃが上昇であるとき、連続調光のサブルーチンＣＤ１に移行し、調光変化の方向Ｃが降下であるとき、連続調光のサブルーチンＣＤ２に移行する。
【０１０４】
（４）サブルーチンＣＤ１．
調光率Ｍが予め設定される上限調光率であるかを判別（ステップ７）し、実施の形態２のサブルーチンＣＤ１と同様の動作をする。そのため、実施の形態２と同様の符号を付し、説明を省略する。
【０１０５】
（５）サブルーチンＣＤ２．
調光率Ｍが予め設定される下限調光率であるかを判別（ステップ１３）し、実施の形態２のサブルーチンＣＤ２と同様の動作をする。そのため、実施の形態２と同様の符号を付し、説明を省略する。
【０１０６】
（６）メインルーチン３．
サブルーチンＣＤ１またはサブルーチンＣＤ２の処理後、実施の形態２のメインルーチン３と同様の動作をする。そのため、実施の形態２と同様の符号を付し、説明を省略する。
【０１０７】
（７）サブルーチンＤＩＭ．
ステップ３でスイッチＳＷがオフの状態であるとき、実施の形態２のサブルーチンＤＩＭと同様の動作をする。そのため、実施の形態２と同様の符号を付し、説明を省略する。
【０１０８】
本実施の形態によれば、実施の形態２と同様、スイッチＳＷをオンしている期間、ランプ７の明るさを連続的に調光させて所望の明るさに設定でき、このときの明るさを調光率Ｍとして記憶部１９に記憶させて、スイッチＳＷを短時間のオン／オフ操作することによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【０１０９】
また、点灯しているランプ７の調光率に応じて、調光変化の方向Ｃを切り替えるので、調光率が上限調光率に近くユーザーが暗くしたいとき、上限調光率の明るさを経由することなく、短時間に低い調光率に設定することができ、また、調光率が下限調光率に近くユーザーが明るくしたいとき、下限調光率の明るさを経由することなく、短時間に高い調光率に設定することができる。
【０１１０】
実施の形態４．
本実施の形態は、実施の形態２または実施の形態３の照明器具及び点灯装置の構成と同じであり、点灯装置の動作が異なる。本実施の形態において、実施の形態２または実施の形態３と同一な部分について同一符号を付して説明を省略し、異なる動作について、詳細に説明をする。
【０１１１】
図１６は、本実施の形態の点灯装置９の動作をフローチャートのメインルーチン、図１７（ａ）は点灯装置９の動作のうち、ランプ７を点灯している調光率を判別する動作を示すサブルーチン、図１８は点灯装置９の動作のうち、調光変化の方向を切り替える動作を示すサブルーチン、図１７（ｂ）、（ｃ）は点灯装置９の動作のうち、連続調光の動作を示すサブルーチン、図１７（ｄ）は点灯装置９の動作のうち、段調光の動作を示すサブルーチンである。
【０１１２】
（１）メインルーチン１．
引き紐４を引きスイッチＳＷをオンするとタイマ部１７のタイマＴを初期化（ステップ１）して、タイマＴが１秒以上であるか否かを判別する。（ステップ２）
【０１１３】
ステップ２でタイマＴが１秒未満であるときは、スイッチＳＷがオンの状態（引き紐４を引いている状態）を継続しているかを判別（ステップ３）し、スイッチＳＷがオンの状態を継続しているときはタイマＴに１００ｍｓ増加させる（ステップ４）。ここで、ステップ４で増加する時間を１００ｍｓとしたが、ステップ４で増加する時間はステップ２〜ステップ３にかかる時間によって適宜設定する。
【０１１４】
ステップ３でスイッチＳＷがオフの状態であるとき、サブルーチンＤＩＭに移行する。
【０１１５】
ステップ２でスイッチＳＷをオンしている時間が１秒以上であると判別したときは、記憶部１９に記憶している調光率Ｍと調光変化の方向Ｃを読み出して（ステップ５）、サブルーチンＣＨＫに移行する。
【０１１６】
（２）サブルーチンＣＨＫ．
ステップ５で記憶部１９から読み出した調光率Ｍが７０％以上であるかを判別（ステップ３１）し、調光率Ｍが７０％以上であるときは調光変化の方向Ｃを降下（ＤＯＷＮ）にして（ステップ３２）、サブルーチンＲＥＶに移行する。
【０１１７】
ステップ３１で調光率Ｍが７０％以上でないと判別するときは、調光率Ｍが４０％以下であるかを判別（ステップ４１）し、調光率Ｍが４０％以下であるときは調光変化の方向Ｃを上昇（ＵＰ）にして（ステップ４２）、サブルーチンＲＥＶに移行する。
【０１１８】
ステップ４１で調光率Ｍが４０％以下でないと判別するときは、調光変化の方向Ｃを記憶部１９から読み出した値として、サブルーチンＲＥＶに移行する。
【０１１９】
（３）サブルーチンＲＥＶ．
チェッカＮを「０」に設定（ステップ５１）し、タイマ部１７のタイマＴを初期化する（ステップ５２）。
【０１２０】
タイマＴが０．２秒以上であるかを判別（ステップ５３）し、タイマＴが０．２秒以上のときはチェッカＮを１にしてメインルーチン４に移行する（ステップ５４）。ここで、チェッカＮを１とするのは、連続調光の動作を継続するか、否かを判別するための識別符号であり、この実施の形態ではチェッカＮが１のとき、連続調光の動作を継続することを示している。
【０１２１】
ステップ５３で、タイマＴが０．２秒未満であるときはスイッチＳＷがオン状態を継続しているかを判別（ステップ５５）し、オン状態が継続しているときはタイマＴに１００ｍｓを加算する（ステップ５６）。なお、ステップ５６で加算する時間は、ステップ５３、ステップ５５で要する時間であり、１００ｍｓに限定されない。
【０１２２】
ステップ５５でスイッチＳＷがオフ状態であることを判別するとき、タイマ部１７のタイマＴを初期化（ステップ５７）して、タイマＴが３秒以上であるときはメインルーチン４に移行する（ステップ５８）。
【０１２３】
ステップ５８でタイマＴが３秒未満であると判別するとき、スイッチＳＷがオンになったかを判別（ステップ５９）し、オフ状態を継続しているときはタイマＴに１００ｍｓを加算する（ステップ６０）。なお、ステップ６０で加算する時間は、ステップ５６と同様に、ステップ５８、ステップ５９で要する時間であり、１００ｍｓに限定されない。
【０１２４】
ステップ５９でスイッチＳＷがオンになったことを判別するとき、チェッカＮを１にして（ステップ６１）、調光変化の方向ＣがＵＰであるか判別する（ステップ６２）。
【０１２５】
ステップ６２で調光変化の方向ＣがＵＰであると判別するとき、調光変化の方向ＣをＤＯＷＮに替えて、ステップ５２に戻る（ステップ６３）。
【０１２６】
また、ステップ６２で調光変化の方向ＣがＤＯＷＮであると判別するとき、調光変化の方向ＣをＵＰに替えて、ステップ５２に戻る（ステップ６４）。
【０１２７】
（４）メインルーチン４．
サブルーチンＲＥＶでチェックしたチェッカＮが「１」であるかを判別し、「１」であると判別するときはメインルーチン２に移行して、「１」でない（「０」のとき）と判別するときは終了する。
【０１２８】
（５）メインルーチン２．
調光変化の方向Ｃが上昇（ＵＰ）であるか判別（ステップ６）し、調光変化の方向Ｃが上昇であるとき、連続調光のサブルーチンＣＤ１に移行し、調光変化の方向Ｃが降下であるとき、連続調光のサブルーチンＣＤ２に移行する。
【０１２９】
（６）サブルーチンＣＤ１．
調光率Ｍが予め設定される上限調光率であるかを判別（ステップ７）し、実施の形態２のサブルーチンＣＤ１と同様の動作をする。そのため、実施の形態２と同様の符号を付し、説明を省略する。
【０１３０】
（７）サブルーチンＣＤ２．
調光率Ｍが予め設定される下限調光率であるかを判別（ステップ１３）し、実施の形態２のサブルーチンＣＤ２と同様の動作をする。そのため、実施の形態２と同様の符号を付し、説明を省略する。
【０１３１】
（８）メインルーチン３．
サブルーチンＣＤ１またはサブルーチンＣＤ２の処理後、実施の形態２のメインルーチン３と同様の動作をする。そのため、実施の形態２と同様の符号を付し、説明を省略する。
【０１３２】
（９）サブルーチンＤＩＭ．
ステップ３でスイッチＳＷがオフの状態であるとき、実施の形態２のサブルーチンＤＩＭと同様の動作をする。そのため、実施の形態２と同様の符号を付し、説明を省略する。
【０１３３】
本実施の形態によれば、実施の形態２と同様、スイッチＳＷをオンしている期間、ランプ７の明るさを連続的に調光させて所望の明るさに設定でき、このときの明るさを調光率Ｍとして記憶部１９に記憶させて、スイッチＳＷを短時間のオン／オフ操作することによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【０１３４】
また、点灯しているランプ７の調光率に応じて、調光変化の方向Ｃを切り替えるので、調光率が上限調光率に近くユーザーが暗くしたいとき、上限調光率の明るさを経由することなく、短時間に低い調光率に設定することができ、また、調光率が下限調光率に近くユーザーが明るくしたいとき、下限調光率の明るさを経由することなく、短時間に高い調光率に設定することができる。
【０１３５】
また、連続調光しているときにスイッチＳＷを短時間のオフ／オン操作することによって、調光変化の方向を切り替え（反転）できるので、短時間にユーザーの所望の明るさに設定することができる。
【０１３６】
実施の形態５．
実施の形態２〜実施の形態４の照明器具及び点灯装置において、引き紐によってスイッチをオン／オフしてランプの点灯状態を切り替える場合について説明したが、本実施の形態は、リモコン送信器からの赤外線信号などの無線信号を受信する受信部を備えて、受信部で受信する信号に基づいて、ランプの点灯状態を切り替えるものである。
【０１３７】
本実施の形態において、実施の形態２〜実施の形態４と同一な部分について同一符号を付して説明を省略し、異なる動作について詳細に説明をする。
【０１３８】
本実施の形態のリモコン送信器及び照明器具の構造について説明する。
【０１３９】
図１９〜図２３は、本実施の形態のリモコン送信器及び照明器具の構造を示す図である。
【０１４０】
図１９は、本実施の形態の照明装置を示す図であり、図１９（ａ）はリモコン送信器を示す図であり、図１９（ｂ）は照明器具を示す図である。
【０１４１】
図１９（ａ）は、リモコン送信器２１は、リモコン本体２２の前面部に操作ボタン２３を有し、上部に赤外線を出力するＬＥＤ２４を備えている。
【０１４２】
図１９（ｂ）は、照明器具本体２の発光面に、ランプ７の光を拡散するセード３（カバー）を備える。
【０１４３】
図２０はリモコン送信器２１の内部構成を示すブロック図である。
【０１４４】
リモコン送信器２１の操作ボタン２３を押すと制御部２５にオン信号が入力され、制御部２５から点灯状態を切り替える切替信号が出力され、送信部２６は切替信号を赤外線信号としてＬＥＤ２４を介して出力する。
【０１４５】
図２１は、図１９（ｂ）の照明器具１からセード３を取り外した状態を示す図である。
【０１４６】
図２２は、照明器具本体２の内部に備えられた点灯装置９の回路構成を示す回路図である。
【０１４７】
照明器具本体２には、天井への取付け部と、ランプ７を取り付けるランプホルダ８を備え、リモコン送信器２１からの赤外線信号を受信する受信部２７を備えている。
【０１４８】
また、照明器具本体２の内部にはランプ７を点灯するための点灯装置９を備え、受信部２７内にリモコン受信回路２８を備えている。
【０１４９】
リモコン受信回路２８の出力端子は第１のスイッチ部ＳＷに接続され、リモコン受信回路２８は受信したリモコン信号に基づいて第１のスイッチ部ＳＷのオン／オフを操作する。
つまり、本実施の形態のリモコン操作は実施の形態１における引き紐操作に相当する。
また、リモコン受信回路２８は別電源（第４の電源回路、図示省略）から電力の供給を受けて動作するものとする。つまり、ランプ７が消灯し、第１のスイッチ部ＳＷおよび第２のスイッチ回路Ｑ２がオフであり、制御部１１（マイクロコンピュータ１６０）に電力が供給されていないときにも、リモコン受信回路２８は別電源から電力の供給を受けてリモコン信号の受信待機が行える。
【０１５０】
図２３は、リモコン送信器２１から送信する赤外線信号の状態を示す図である。
【０１５１】
このリモコン送信器２１は、図２３（ａ）に示すように操作ボタン２３を押している（オン状態）期間はリモコン信号（赤外線信号）を送信し続ける。操作ボタン２３を離したときは、図２３（ｂ）に示すようにリモコン信号の送信を停止するが、リモコン信号を送信中に操作ボタン２３を離したときは、図２３（ｃ）に示すように送信中のリモコン信号を送信後、停止する。
【０１５２】
図２４は、本実施の形態の点灯装置９の動作を示すフローチャートのメインルーチン、図２５（ａ）は点灯装置９の動作のうち、ランプ７を点灯している調光率を判別する動作を示すサブルーチン、図２５（ｂ）、（ｃ）は点灯装置９の動作のうち、連続調光の動作を示すサブルーチン、図２５（ｄ）は点灯装置９の動作のうち、段調光の動作を示すサブルーチン、図２６は点灯装置９の動作のうち、調光変化の方向を切り替える動作を示すサブルーチンである。
【０１５３】
（１）メインルーチン１０１．
リモコン送信器２１の操作ボタン２３を押すと、リモコン信号が送信され、照明器具１の受信部２７内にあるリモコン受信回路２８がリモコン信号を受信するとタイマ部のタイマＴを初期化（ステップ１０１）して、タイマＴが１秒以上であるか否かを判別する。（ステップ１０２）
【０１５４】
ステップ１０２でタイマＴが１秒未満であるときは、リモコン信号受信状態を継続しているかを判別（ステップ１０３）し、リモコン信号受信状態を継続しているときはタイマＴに１００ｍｓ増加させる（ステップ１０４）。ここで、ステップ１０４で増加する時間を１００ｍｓとしたが、ステップ１０４で増加する時間はステップ１０２〜ステップ１０３にかかる時間によって適宜設定する。
【０１５５】
ステップ１０２でリモコン信号受信状態の時間が１秒以上であると判別したときは、記憶部１９に記憶している調光率Ｍと調光変化の方向Ｃを読み出して（ステップ１０５）、サブルーチンＣＨＫに移行する。
【０１５６】
（２）サブルーチンＣＨＫ．
ステップ１０５で記憶部１９から読み出した調光率Ｍが７０％以上であるかを判別（ステップ３１）した後、実施の形態４のサブルーチンＣＨＫと同様の動作をする。そのため、実施の形態４と同様の符号を付し、説明を省略する。
【０１５７】
（３）サブルーチンＲＥＶ．
チェッカＮを「０」に設定（ステップ５１）し、タイマ部１７のタイマＴを初期化する（ステップ５２）。
【０１５８】
タイマＴが０．２秒以上であるかを判別（ステップ５３）し、タイマＴが０．２秒以上のときはチェッカＮを１にしてメインルーチン４に移行する（ステップ５４）。ここで、チェッカＮを１とするのは、連続調光の動作を継続するか、否かを判別するための識別符号であり、この実施の形態ではチェッカＮが１のとき、連続調光の動作を継続することを示している。
【０１５９】
ステップ５３で、タイマＴが０．２秒未満であるときはリモコン信号受信状態を継続しているかを判別（ステップ１５５）し、リモコン信号受信状態が継続しているときはタイマＴに１００ｍｓを加算する（ステップ５６）。なお、ステップ５６で加算する時間は、ステップ５３、ステップ１５５で要する時間であり、１００ｍｓに限定されない。
【０１６０】
ステップ１５５でリモコン信号受信が途絶えた状態であることを判別するとき、タイマ部１７のタイマＴを初期化（ステップ５７）して、タイマＴが３秒以上であるときはメインルーチン４に移行する（ステップ５８）。
【０１６１】
ステップ５８でタイマＴが３秒未満であると判別するとき、リモコン信号を受信しているかを判別（ステップ１５９）し、リモコン信号を受信していないときは、タイマＴに１００ｍｓを加算する（ステップ６０）。なお、ステップ６０で加算する時間は、ステップ５７と同様に、ステップ５８、ステップ１５９で要する時間であり、１００ｍｓに限定されない。
【０１６２】
ステップ１５９でスイッチＳＷがオンになったことを判別するとき、チェッカＮを１にして（ステップ６１）、調光変化の方向ＣがＵＰであるか判別する（ステップ６２）。
【０１６３】
ステップ６２で調光変化の方向ＣがＵＰであると判別するとき、調光変化の方向ＣをＤＯＷＮに替えて、ステップ５２に戻る（ステップ６３）。
【０１６４】
また、ステップ６２で調光変化の方向ＣがＤＯＷＮであると判別するとき、調光変化の方向ＣをＵＰに替えて、ステップ５２に戻る（ステップ６４）。
【０１６５】
（４）メインルーチン４．
サブルーチンＲＥＶの処理後、実施の形態４のメインルーチン４と同様の動作をする。そのため、実施の形態４と同様の符号を付し、説明を省略する。
【０１６６】
（５）メインルーチン２．
メインルーチン４の処理後、実施の形態４のメインルーチン２と同様の動作をする。そのため、実施の形態４と同様の符号を付し、説明を省略する。
【０１６７】
（６）サブルーチンＣＤ１．
調光率Ｍが予め設定される上限調光率であるかを判別（ステップ７）し、実施の形態４のサブルーチンＣＤ１と同様の動作をする。そのため、実施の形態４と同様の符号を付し、説明を省略する。
【０１６８】
（７）サブルーチンＣＤ２．
調光率Ｍが予め設定される下限調光率であるかを判別（ステップ１３）し、実施の形態４のサブルーチンＣＤ２と同様の動作をする。そのため、実施の形態４と同様の符号を付し、説明を省略する。
【０１６９】
（８）メインルーチン１０３．
サブルーチンＣＤ１またはサブルーチンＣＤ２の処理後、リモコン信号受信状態を継続しているかを判別（ステップ１１９）し、リモコン信号受信状態が継続しているときはステップ６に戻り、リモコン信号を受信していない状態のときは調光率Ｍ、調光変化の方向Ｃを記憶部１９に記憶（ステップ１２０）して、終了する。
【０１７０】
なお、上限調光率から下限調光率（または下限調光率から上限調光率）に到達する時間を短時間に設定すると所望の明るさに設定するのが難しく、また長時間に設定すると所望の明るさに設定するまで時間がかかる。
【０１７１】
したがって、上限調光率から下限調光率（または下限調光率から上限調光率）に到達する時間は１０秒（調光率の変化速度７．５％／秒）〜１５秒（調光率の変化速度５％／秒）程度に設定するのが望ましい。
【０１７２】
なお、この時間は上限調光率１００％、下限調光率２５％の場合であり、上限調光率と下限調光率の幅が狭い、例えば上限調光率を８０％、下限調光率を４０％にするときなどは、上限調光率から下限調光率までの時間を５秒〜８秒程度に設定するなど、上限調光率と下限調光率の調光率の幅に応じて適宜設定するとよい。
【０１７３】
（９）サブルーチンＤＩＭ．
ステップ１０３でリモコン信号を受信していない状態であるとき、実施の形態４のサブルーチンＤＩＭと同様の動作をする。そのため、実施の形態４と同様の符号を付し、説明を省略する。
【０１７４】
本実施の形態によれば、実施の形態４と同様、リモコン送信器２１の操作ボタン２３をオンしている期間、ランプ７の明るさを連続的に調光させて所望の明るさに設定でき、このときの明るさを調光率Ｍとして記憶部１９に記憶させて、操作ボタン２３を短時間のオン／オフによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【０１７５】
また、点灯しているランプ７の調光率に応じて、調光変化の方向を切り替えるので、調光率が上限調光率に近くユーザーが暗くしたいとき、上限調光率の明るさを経由することなく、短時間に低い調光率に設定することができ、また、調光率が下限調光率に近くユーザーが明るくしたいとき、下限調光率の明るさを経由することなく、短時間に高い調光率に設定することができる。
【０１７６】
また、連続調光しているときにスイッチＳＷを短時間のオフ／オン操作することによって、調項変化の方向を切り替え（反転）できるので、短時間にユーザーの所望の明るさに設定することができる。
【０１７７】
なお、蛍光灯が発する赤外線の影響によって、リモコン送信器２１からのリモコン信号が受信しにくいことがあるため、操作ボタンを１度押すとリモコン送信器から５回連続で同じリモコン信号を送信して、確実に受信部２７で受信するようにしている。
【０１７８】
このようなリモコン送信器に対応するように、受信を開始してから５回目までのリモコン信号では連続調光のフローチャートの動作はせず、６回目のリモコン信号から連続調光の信号としてカウントを開始するようにしてもよい。なお、６回目のリモコン信号から連続調光の信号としてカウントする場合を説明したが、３回目または７回目のリモコン信号から連続調光の信号としてもカウントするようにしてもよいが、２０回からなどとすると、ユーザーがリモコン送信器を操作してから連続調光を開始するまでに時間を要するため、３〜１０回程度からリモコン信号を受信していると判別してカウントを開始するようにするとよい。
【０１７９】
また、実施の形態２〜実施の形態５において、ランプ７を放電灯とした場合を説明したが、点灯装置９の制御方式を位相制御にして白熱電球などの明るさを制御してもよいし、点灯装置９の制御方式を定電流制御にして負荷回路に流れる電流を制御してＬＥＤなどの明るさを制御してもよい。
【図面の簡単な説明】
【０１８０】
【図１】実施の形態１における照明器具１の外観を示す構成図。
【図２】実施の形態１における照明器具１の内部構成図。
【図３】実施の形態１における照明器具本体２が備える点灯装置９の回路図。
【図４】実施の形態１における照明器具本体２が備える点灯装置９の回路図。
【図５】実施の形態１における照明器具本体２が備える点灯装置９の回路図。
【図６】実施の形態１における点灯装置９の点灯制御方法を示すフローチャート。
【図７】実施の形態１におけるマイクロコンピュータ１６０の機能構成図。
【図８】実施の形態１におけるマイクロコンピュータ１６０の点灯制御方法を示すフローチャートの一例。
【図９】実施の形態１における点灯／消灯タイマ制御処理（Ｓ２５０）を示すフローチャート。
【図１０】実施の形態１における点灯／消灯タイマ制御処理（Ｓ２５０）を示すフローチャート。
【図１１】実施の形態１におけるマイクロコンピュータ１６０の点灯制御方法を示すフローチャートの一例。
【図１２】実施の形態２を示す点灯装置のフローチャートである。
【図１３】実施の形態２を示す点灯装置のフローチャートである。
【図１４】実施の形態３を示す点灯装置のフローチャートである。
【図１５】実施の形態３を示す点灯装置のフローチャートである。
【図１６】実施の形態４を示す点灯装置のフローチャートである。
【図１７】実施の形態４を示す点灯装置のフローチャートである。
【図１８】実施の形態４を示す点灯装置のフローチャートである。
【図１９】実施の形態５を示す照明装置の構成図である。
【図２０】実施の形態５を示すリモコン送信器のブロック図である。
【図２１】実施の形態５を示す照明器具の内部構成図である。
【図２２】実施の形態５を示す点灯装置の回路図である。
【図２３】実施の形態５を示す操作ボタンの操作とリモコン信号の出力との関係を示す図である。
【図２４】実施の形態５を示す点灯装置のフローチャートである。
【図２５】実施の形態５を示す点灯装置のフローチャートである。
【図２６】実施の形態５を示す点灯装置のフローチャートである。
【符号の説明】
【０１８１】
１  照明器具、２  照明器具本体、３  セード、４  引き紐、５  引き紐ガイド、６  天井取付部、７  ランプ、８  ランプホルダ、９  点灯装置、１１  制御部、１３  インバータ回路、１６  入力部、１７  タイマ部、１８  制御判別部、１９  記憶部、２１  リモコン送信器、２２  リモコン本体、２３  操作ボタン、２４  ＬＥＤ、２５  制御部、２６  送信部、２７  受信部、２８  リモコン受信回路、１０１  放電灯、１０２  補助灯、１０３  電球、１１０  整流回路、１２０  第１の電源回路、１３０  第２の電源回路、１４０  高周波制御回路、１４３  昇圧チョッパ回路、１４９  位相制御回路、１５０  スイッチ操作検出回路、１６０  マイクロコンピュータ、１７０  補助灯点灯回路、１８０  外部スイッチ操作検出回路、１９１  インバータ制御回路、１９２  第３の電源回路、ＡＣ  商用電源、ＤＢ  ダイオードブリッジ、Ｌ１，Ｌ２  インダクタ、Ｄ１，Ｄ２，Ｄ３，Ｄ４，Ｄ５  ダイオード、ＳＷ１  第１のスイッチ部、Ｑ２  第２のスイッチ回路、Ｑ３，Ｑ４  スイッチ素子、ＩＣ１  昇圧チョッパ制御回路、Ｃ１  平滑コンデンサ、Ｃ２，Ｃ３，Ｃ４  コンデンサ、ＳＷ  スイッチ、Ｒ１，Ｒ２  抵抗、ＳＷＥ  外部スイッチ。
【図１】
0004785794.tif 000002
【図２】
0004785794.tif 000003
【図３】
0004785794.tif 000004
【図４】
0004785794.tif 000005
【図５】
0004785794.tif 000006
【図６】
0004785794.tif 000007
【図７】
0004785794.tif 000008
【図８】
0004785794.tif 000009
【図９】
0004785794.tif 000010
【図１０】
0004785794.tif 000011
【図１１】
0004785794.tif 000012
【図１２】
0004785794.tif 000013
【図１３】
0004785794.tif 000014
【図１４】
0004785794.tif 000015
【図１５】
0004785794.tif 000016
【図１６】
0004785794.tif 000017
【図１７】
0004785794.tif 000018
【図１８】
0004785794.tif 000019
【図１９】
0004785794.tif 000020
【図２０】
0004785794.tif 000021
【図２１】
0004785794.tif 000022
【図２２】
0004785794.tif 000023
【図２３】
0004785794.tif 000024
【図２４】
0004785794.tif 000025
【図２５】
0004785794.tif 000026
【図２６】
0004785794.tif 000027